(57)【要約】【課題】プリーツフィルタ体のメンテナンス性を向上した電気掃除機を提供する。【解決手段】プリーツフィルタ体に振動を与えてプリーツフィルタ体で捕集した塵埃を除去する除塵手段76を、吸気口75の上側に位置するスライダ83aを移動させると、吸気口75の下側に位置するスライダ83bが、スライダ83aの移動方向と反対方向へと移動するように構成する。各スライダ83a，83bにより２倍の除塵効果を得ることができ、プリーツフィルタ体のメンテナンス性を向上できる。【選択図】図１
2008113786.tif 000002
【特許請求の範囲】
【請求項１】
電動送風機を収容する掃除機本体と、
この掃除機本体に設けられ前記電動送風機の駆動により吸い込んだ塵埃を捕集する集塵部と、
この集塵部の下流側に位置するプリーツ状のフィルタと、
前記電動送風機の吸込側に連通する吸気口を備え、前記フィルタと前記電動送風機との間に位置する隔壁部と、
前記フィルタに振動を与えてこのフィルタで捕集した塵埃を除去する除塵手段とを具備し、
前記除塵手段は、
前記吸気口の上側と下側とのいずれか一方に位置し、前記フィルタのプリーツ形状に交差する方向に沿って移動可能な第１除塵部材と、
前記吸気口の上側と下側との他方に位置し、前記第１除塵部材の移動に連動してこの第１除塵部材の移動方向と反対方向へと前記フィルタのプリーツ形状に交差する方向に沿って移動可能な第２除塵部材とを備えている
ことを特徴とした電気掃除機。
【請求項２】
電動送風機を収容する掃除機本体と、
この掃除機本体に設けられ前記電動送風機の駆動により吸い込んだ塵埃を捕集する集塵部と、
この集塵部の下流側に位置するプリーツ状のフィルタと、
前記電動送風機の吸込側に連通する吸気口を備え、前記フィルタと前記電動送風機との間に位置する隔壁部と、
前記吸気口の略中央域に対向する位置に、前記フィルタのプリーツ形状と交差する方向に沿って移動可能に設けられ、移動により前記フィルタに振動を与えてこのフィルタで捕集した塵埃を除去するとともに、少なくとも前記電動送風機を駆動している状態では前記吸気口に対向しない除塵手段と
を具備したことを特徴とした電気掃除機。
【発明の詳細な説明】
【技術分野】
【０００１】
本発明は、集塵部の下流側に位置するプリーツ状のフィルタを備えた電気掃除機に関する。
【背景技術】
【０００２】
従来、この種の電気掃除機は、電動送風機を収容した掃除機本体を備えている。この掃除機本体内には、前後方向の略中央域に隔壁部が設けられ、この隔壁部の後側に電動送風機を収容する電動送風機室が区画され、この隔壁部の前側に集塵部を収容する集塵室が区画されている。また、隔壁部には、電動送風機の吸込側を集塵部に連通させる吸気口が開口形成されている。さらに、集塵部は、電動送風機の駆動により空気とともに吸い込まれた塵埃を空気から分離して捕集するもので、隔壁部に対向する後部に、プリーツ状のフィルタが着脱可能に設けられている。このフィルタは、上下方向に沿って形成されたプリーツ部が左右方向に並設されており、このフィルタの下流側には、手動により左右方向に摺動させることで各プリーツ部の山部を弾いてフィルタに捕集した塵埃を除去する除塵手段が設けられている（例えば、特許文献１参照。）。
【特許文献１】特開２００５−２７８６２号公報（第１２−１３頁、図１４）
【発明の開示】
【発明が解決しようとする課題】
【０００３】
上述のようなフィルタに捕集した塵埃を確実に除去するためには、除塵手段を複数回動作させることが好ましい。
【０００４】
しかしながら、上述の電気掃除機では、除塵手段が左右方向に沿って１列設けられているだけであるため、除塵手段を動作させる回数が多く必要となり、フィルタのメンテナンスが煩雑であるという問題点を有している。
【０００５】
本発明は、このような点に鑑みなされたもので、フィルタのメンテナンス性を向上した電気掃除機を提供することを目的とする。
【課題を解決するための手段】
【０００６】
本発明は、掃除機本体に設けられ電動送風機の駆動により吸い込んだ塵埃を捕集する集塵部と、この集塵部の下流側に位置するプリーツ状のフィルタと、電動送風機の吸込側に連通する吸気口を備え、フィルタと電動送風機との間に位置する隔壁部と、フィルタに振動を与えてこのフィルタで捕集した塵埃を除去する除塵手段とを具備し、除塵手段は、吸気口の上側と下側とのいずれか一方に位置し、フィルタのプリーツ形状に交差する方向に沿って移動可能な第１除塵部材と、吸気口の上側と下側との他方に位置し、第１除塵部材の移動に連動してこの第１除塵部材の移動方向と反対方向へとフィルタのプリーツ形状に交差する方向に沿って移動可能な第２除塵部材とを備えているものである。
【０００７】
また、本発明は、吸気口の略中央域に対向する位置に、フィルタのプリーツ形状と交差する方向に沿って移動可能に設けられ、移動によりフィルタに振動を与えてこのフィルタで捕集した塵埃を除去するとともに、少なくとも電動送風機を駆動している状態では吸気口に対向しない除塵手段を具備したものである。
【発明の効果】
【０００８】
本発明によれば、吸気口の上側と下側とのいずれか一方に位置する第１除塵部材を移動させると、吸気口の上側と下側との他方に位置する第２除塵部材が、第１除塵部材の移動方向と反対方向へと移動することで、各除塵部材により２倍の除塵効果を得ることができ、フィルタのメンテナンス性を向上できる。
【０００９】
また、本発明によれば、電動送風機の駆動により最も塵埃が付着しやすい吸気口の略中央域に対向する位置に除塵手段を設けることで、フィルタの除塵の効率を向上し、フィルタのメンテナンス性を向上できるとともに、除塵手段を、少なくとも電動送風機の駆動状態では吸気口に対向しないように構成することで、電動送風機の駆動による吸い込みの際に除塵手段が吸込負荷になることがない。
【発明を実施するための最良の形態】
【００１０】
以下、本発明の第１の実施の形態の電気掃除機の構成を図１ないし図１１を参照して説明する。
【００１１】
図７、図８および図１１において、１は掃除機本体で、この掃除機本体１は、電動送風機２を収容した本体ケース３と、この本体ケース３に後部が回動可能に軸支された上下方向に開閉可能な蓋体４と、電動送風機２の上流側に位置し本体ケース３に着脱可能な集塵部としての集塵容器５とを備え、電動送風機２の駆動にて生じる吸込風とともに吸い込んだ塵埃を集塵容器５で遠心分離して集塵する、いわゆるサイクロン式の電気掃除機であり、被掃除面としての床面上を走行可能である。
【００１２】
本体ケース３には、電動送風機２の下方に、図示しない商用交流電源から電動送風機２などへと給電可能にする図示しない電源コードを巻回したコードリール７が収容されている。また、本体ケース３の前部には、皿状の載置部８が設けられている。この載置部８は、集塵容器５が着脱可能に載置され、蓋体４を閉じた際にこの蓋体４との間で集塵容器５を挟持固定可能な部分である。さらに、本体ケース３の蓋体４の後部には、掃除機本体１の持ち運び用のハンドル９が設けられている。そして、本体ケース３には、集塵容器５の後方かつハンドル９の前端部の下方に、隔壁部としての前壁部10が設けられている。
【００１３】
蓋体４は、前部に管部11が設けられ、この管部11の先端部である前部が、空気を吸引するホース接続口12となり、管部11の基端部である後部が、載置部８に固定される集塵容器５の吸込側に連通する接続開口13となっている。
【００１４】
ホース接続口12には、可撓性を有し湾曲可能な細長略円筒状の集塵ホース15の基端部が連通接続されている。この集塵ホース15の先端部には、電動送風機２の動作モードなどが選択可能な手元操作部16が設けられている。この手元操作部16には、作業者が把持する把持部17が突設され、この把持部17には、電動送風機２などを複数の動作モードに設定する複数の操作スイッチ18が設けられている。
【００１５】
また、手元操作部16の先端には、伸縮可能な細長略円筒状の延長管21が着脱可能に連通接続されている。さらに、この延長管21の先端には、例えば室内の床面の絨毯などの上に載置され、絨毯などの上の塵埃を吸い込む床ブラシである吸込口体22が着脱可能に連通接続されている。
【００１６】
集塵容器５は、図７、図９および図１０などに示すように、上部に形成された周回風路部25と、この周回風路部25の下方に形成された第１集塵室としての第１集塵部である集塵室26と、この集塵室26の後側に形成された負圧室部27と、集塵室26の下部を開閉する底蓋28と、集塵室26の前部に突設された集塵容器５の把持用の把手部29とを有している。
【００１７】
周回風路部25は、中央部に開口形成された通気開口31に設けられた塵埃分離部32の周囲に渦巻き円弧状の周回風路33を形成したものである。
【００１８】
塵埃分離部32は、截頭円錐状に形成された枠体35と、この枠体35の開口部35aに設けられた第１塵埃分離体としてのネットフィルタ36とを有している。そして開口部35aと通気開口31とを介して、周回風路部25と負圧室部27とが連通されている。
【００１９】
周回風路33の先端となる先端開口41は、蓋体４を閉じた状態でこの蓋体４の管部11の接続開口13の下流側に連通接続される。また、この周回風路33は、後端開口42を介して集塵室26に連通している。
【００２０】
さらに、周回風路33の底部には、負圧室部27に連通する扇形状の開口46が形成され、この開口46には、この開口46を格子状に区画する格子リブ47が形成されているとともに、第２塵埃分離体としてのネットフィルタ48が設けられている。
【００２１】
集塵室26は、負圧室部27との間に隔壁51が設けられ、この隔壁51には、負圧室部27に連通する開口52が後部に設けられ、この開口52には、ネットフィルタ53が設けられている。
【００２２】
そして、負圧室部27の後部には、横長四角形状の排気口55を区画する枠部56が設けられ、この枠部56には、プリーツフィルタ部57が着脱可能となっている。
【００２３】
ここで、枠部56と隔壁51との間の下端部には、第２集塵部である細塵集塵室59が区画されている。
【００２４】
また、排気口55は、負圧室部27の後部である下流側に連通するとともに、集塵容器５を本体ケース３に装着した状態で、前壁部10に対向する。
【００２５】
プリーツフィルタ部57は、フィルタとしてのプリーツフィルタ体61と、このプリーツフィルタ体61を保持する枠体62とを有し、排気口55を閉塞するように取り付けられる。
【００２６】
プリーツフィルタ体61は、上下方向に沿うプリーツ山部61aとプリーツ谷部61bとが掃除機本体１の左右方向に交互に連続するように形成されている。そして、このプリーツフィルタ体61は、集塵容器５を本体ケース３に装着した状態で前壁部10に対向する。
【００２７】
底蓋28は、軸部64を中心として回動可能に設けられ、集塵室26および細塵集塵室59の下部を開閉可能となっている。
【００２８】
そして、把手部29の上部には、底蓋28を開動作させるボタン66が上部に設けられている。
【００２９】
ハンドル９は、図１ないし図４、図８および図１１などに示すように、基端部が本体ケース３に前後方向へと回動可能に軸支されたアーム部71，71の先端部間を、ハンドル把持部となる握り部72により連結して平面視Ｕ字状に形成され、本体ケース３の上部に設けられたハンドル収納凹部73に対して、回動により収納および突出するように構成されている。
【００３０】
そして、前壁部10は、電動送風機２と集塵容器５のプリーツフィルタ体61との間に位置し、図１ないし図４に示すように、電動送風機２の吸込側に連通する丸孔状の吸気口75が穿設されているとともに、プリーツフィルタ体61に振動を与えてこのプリーツフィルタ体61で捕集した塵埃を除去する除塵装置である除塵手段76が前側に設けられ、かつ、ハンドル９の操作を除塵手段76に伝達してこの除塵手段76を駆動させる動力伝達手段77が設けられている。
【００３１】
吸気口75は、電動送風機２の正面に対向する位置、すなわち、前壁部10の正面視左側寄り、上下方向下側寄りに設けられている。
【００３２】
除塵手段76は、吸気口75の上側に、左右に延設された一対の軸状のガイドレール81a，81bが配設され、吸気口75の下側に、一対の軸状のガイドレール82a，82bが配設され、ガイドレール81a，81bに、第１除塵部材としてのスライダ83aが摺動可能に保持され、かつ、ガイドレール82a，82bに、第２除塵部材としてのスライダ83bが摺動可能に保持されている。なお、以下、スライダ83a，83bを総称してスライダ83ということがある。
【００３３】
ガイドレール81a，81b、および、ガイドレール82a，82bは、互いに平行に上下に離間されて配設され、両端部が前壁部10の両側部にそれぞれ固定されている。また、ガイドレール81a，81bは、それぞれ吸気口75の上側に配設され、ガイドレール82aは、吸気口75の上下方向の下側寄りの位置でこの吸気口75と交差する位置に配設されている。
【００３４】
そして、スライダ83は、図５、図６(a)および図６(b)に示すように、左右方向に長手状のスライダ本体85を備え、このスライダ本体85には、除塵体としての一対の塵落とし部材86，86が回動可能に軸支されている。
【００３５】
スライダ本体85は、図１および図３に示すように、前壁部10の左右幅寸法の約半分程度の左右方向寸法を有している。また、このスライダ本体85は、各塵落とし部材86を収容する空間部88が内部に設けられているとともに、この空間部88に連通する開口部89，89が左右両端近傍に形成されている。
【００３６】
さらに、図５、図６(a)および図６(b)に戻って、スライダ本体85の前壁部10に対向する後部には、ラック91が左右方向全体に亘って設けられ、かつ、このラック91には、ガイドレール81b，82aが挿通される孔部92が左右に亘って連続して形成されている。
【００３７】
そして、スライダ本体85の左右両端近傍には、ガイド腕部93a，93bが突設され、これらガイド腕部93a，93bには、ガイドレール81a，82bが挿通される孔部94(ガイド腕部93a分のみ図示)が左右方向にそれぞれ穿設されている。したがって、スライダ83aとスライダ83bとは、上下対称に配設されている。さらに、スライダ83a，83bは、左右方向について互いに反対側、すなわち一方が右側に位置する場合に他方が左側に位置するように配設されている。
【００３８】
各スライダ83a，83bのラック91は、それぞれ前壁部10の前面の左右方向の中心域かつガイドレール81b，82aの上下方向中心域に回動可能に軸支された第１ピニオン96と歯合するように構成されている。
【００３９】
また、各塵落とし部材86は、前端部が開口部89から前方に突出する部材本体である塵落とし部101と、この塵落とし部101の後部に設けられた取付ボス102と、塵落とし部101の取付ボス102の左右に分岐して略平行に後方へと突設された脚部103，104とを有し、平面視で略Ｙ字状に形成されている。
【００４０】
塵落とし部101は、往動側である平面視右側部は、前後方向に直線状の第１係合部101aとなっており、復動側である平面視左側部は、傾斜状の第２係合部101bとなっている。
【００４１】
取付ボス102は、各塵落とし部材86をスライダ83に回動可能に軸支する部分である。したがって、各塵落とし部材86は、取付ボス102を中心として左右方向に水平回動可能となっている。
【００４２】
また、脚部103，104は、スライダ本体85の空間部88内に設けられた支持壁部106，107の外方に位置し、脚部104と支持壁部106との間に、各塵落とし部材86を付勢する付勢手段としてのコイルスプリング108が挟持されている。この結果、各塵落とし部材86は、通常の状態で、脚部103が支持壁部106の外側面に当接し、塵落とし部101がスライダ83に対して垂直となるように保持され、水平回動した状態で脚部104が支持壁部107に当接する。すなわち、各塵落とし部材86は、支持壁部106，107により水平回動角度が規制されている。
【００４３】
一方、動力伝達手段77は、図１ないし図４に示すように、ハンドル９の動作を除塵手段76のスライダ83の左右方向へとの摺動動作へと変換するもので、上記第１ピニオン96と、この第１ピニオン96と同軸に一体的に設けられ前壁部10の後側の位置する第２ピニオン111と、この第２ピニオン111に歯合する第３ピニオン112と、この第３ピニオン112に歯合する第４ピニオン113と、この第４ピニオン113と同軸に一体的に設けられた第５ピニオン114と、この第５ピニオン114に歯合して第５ピニオン114とともに第４ピニオン113を回動させるラック体115となどにより構成されている。
【００４４】
そして、第２ピニオン111、第３ピニオン112および第４ピニオン113は、図２に示す上方右側(図１に示す上方左側)へと順次歯合されている。
【００４５】
ラック体115は、上下方向に長手状に形成され、図２に示す左側部に、第５ピニオン114に歯合する複数のラック歯115aが上下に沿って配設されている。また、ラック体115のラック歯115aと反対側の下部には、上下に長手状のガイド部117が突設されている。さらに、ラック体115の上部には、突部118が後部へと突設され、この突部118の先端には、リンク119が前後方向に回動可能に軸支され、このリンク119がハンドル９と連結されている。
【００４６】
ガイド部117には、上下一対の長孔状のガイドスリット121，121が設けられ、これらガイドスリット121，121には、前壁部10の図２に示す右側の後部に突設されたボス状のガイド突起122，122がそれぞれ挿通されている。したがって、これらガイドスリット121，121は、ラック体115の上下方向のスライドストロークを設定している。
【００４７】
また、ガイド部117の下部寄りの位置には、スプリング受け突部125が側方に突設されている。このスプリング受け突部125には、前壁部10の図２に示す右側から突設されたスプリング収納空間126の上端部のスプリング受け壁127との間に、ラック体115を付勢するハンドル収納用付勢手段としてのコイルスプリング128が挟持されている。
【００４８】
リンク119は、上下方向に長い長孔131が上端部に穿設され、この長孔131には、ハンドル９のアーム部71の基端部近傍から突設された支持軸132が挿通されている。この長孔131は、ハンドル９の動作の動力伝達手段77の動作への伝達の遊びとなるものである。
【００４９】
次に、上記第１の実施の形態の動作を説明する。
【００５０】
まず、蓋体４を上方に回動させて開け、プリーツフィルタ部57を排気口55に取り付けた集塵容器５を載置部８に載置した状態で、蓋体４を下方に回動させ、この蓋体４と載置部８との間に集塵容器５を挟持する。
【００５１】
このとき、集塵容器５の先端開口41が、蓋体４の管部11の接続開口13に同軸上に連通し、かつ、集塵容器５の排気口55およびこの排気口55に取り付けられたプリーツフィルタ部57が、電動送風機２の吸気口75に対向して、プリーツフィルタ体61のプリーツ谷部61bに、スライダ83の各塵落とし部101が嵌合する。
【００５２】
ここで、スライダ83a，83bは、吸気口75を閉塞しないように、それぞれ図１に示す位置、すなわちスライダ83aが吸気口75の上方、スライダ83bが吸気口75の右側方にあり、吸気口75にそれぞれ対向しない、すなわち重ならない状態となっている。
【００５３】
次いで、ホース接続口12に、集塵ホース15、延長管21および吸込口体22を順次連通接続するとともに、本体ケース３から図示しない電源コードを導出して、商用交流電源に接続し、把持部17を把持した状態で所望の操作スイッチ18を操作して、電動送風機２を所望の動作モードで駆動させ、吸込口体22を床面上に接地して前後に走行させて、先端側から床面上の塵埃を空気とともに吸い込む。
【００５４】
吸い込まれた空気は吸込風となり、吸込口体22、延長管21、集塵ホース15、ホース接続口12および接続開口13を経由して、集塵容器５の先端開口41から周回風路33へと吸い込まれる。
【００５５】
この吸込風の一部は、開口46を負圧室部27へと直線状に通過し、この通過の際に、ネットフィルタ48に塵埃を捕集されるとともに、残りの部分が周回風路部25内を、塵埃分離部32の周囲に沿って円形状に流れる。
【００５６】
このとき、この吸込風は、一部が開口部35aを通過して負圧室部27へと流入し、この通過の際にネットフィルタ36により塵埃を捕集されるとともに、さらに残りの部分は、下流へ行くに従い周回風路部25の断面積が狭くなることで下流端まで流速が確保され、後端開口42まで流れてこの後端開口42から集塵室26へと流入する。
【００５７】
この集塵室26へ流入した吸込風に含まれる塵埃のうち、比較的大きい粗塵は、そのまま集塵室26内へと落下して捕集され、比較的小さい細塵は、吸込風が開口52を通過して負圧室部27へと流入する際にネットフィルタ53により捕集される。
【００５８】
負圧室部27で合流した吸込風は、プリーツフィルタ部57のプリーツフィルタ体61を通過する際に、このプリーツフィルタ体61に、各ネットフィルタ36，48，53により捕集されなかった微細塵が捕集される。
【００５９】
プリーツフィルタ体61を通過した吸込風は、排気口55から集塵容器５の外部へと排気された後、吸気口75から電動送風機２へと吸い込まれ、この電動送風機２を通過して排気風となり、本体ケース３に穿設された図示しない排気孔を介して掃除機本体１の外部へと排気される。
【００６０】
掃除が終了すると、作業者が操作スイッチ18を操作して電動送風機２の駆動を停止させる。
【００６１】
次に、上記第１の実施の形態の除塵動作について説明する。
【００６２】
作業者が掃除機本体１を持ち上げるために、ハンドル９を図１および図２に示す状態から図３および図４に示す状態へと起こすと、ハンドル９のアーム部71の支持軸132がリンク119の長孔131内で上方に摺動し、この長孔131の上端部と係合すると、リンク119に連結されたラック体115が上方へと移動する。
【００６３】
このとき、ラック体115は、ガイドスリット121，121が相対的にガイド突起122，122を案内することで、上方へと略直線状に移動する。
【００６４】
すると、このラック体115のラック歯115aと第５ピニオン114との歯合により、この第５ピニオン114が図４に示す反時計回り方向に回動し、この第５ピニオン114と一体的に、第４ピニオン113が図４に示す反時計回り方向に回動する。
【００６５】
さらに、第４ピニオン113、第３ピニオン112および第２ピニオン111の歯合により、これらピニオン113，112，111がそれぞれ回動し、第２ピニオン111と一体的に、第１ピニオン96が回動する。
【００６６】
そして、この第１ピニオン96にラック91が歯合したスライダ83aが、図３に示すように右方向へと摺動するとともに、第１ピニオン96にラック91が歯合したスライダ83bが、図３に示すように左方向へと摺動する。すなわち、スライダ83a，83bが、互いに反対方向へと摺動する。
【００６７】
このとき、スライダ83a，83bの各塵落とし部材86は、図６(a)に示すように、脚部103が支持壁部106に当接していることで、第１係合部101aがスライダ本体85に対して垂直な状態で保持され、この第１係合部101aがプリーツ山部61aを順次乗り越えて弾くことにより、プリーツフィルタ体61に強い振動を与え、プリーツフィルタ体61に捕集した塵埃を細塵集塵室59へと落下させる。
【００６８】
また、図４に示すように、ラック体115が上方に移動することで、コイルスプリング128が押し縮められる。
【００６９】
一方、作業者がハンドル９から手を離すと、コイルスプリング128の復帰により、ハンドル９がハンドル収納凹部73に収納される。
【００７０】
このとき、ハンドル９の支持軸132がリンク119の長孔131の上端部と係合していることにより、ラック体115は、ガイドスリット121，121が相対的にガイド突起122，122を案内することで、下方へと略直線状に移動する。
【００７１】
すると、このラック体115のラック歯115aと第５ピニオン114との歯合により、この第５ピニオン114が図２に示す時計回り方向に回動し、この第５ピニオン114と一体的に、第４ピニオン113が図２に示す時計回り方向に回動する。
【００７２】
さらに、第４ピニオン113、第３ピニオン112および第２ピニオン111の歯合により、これらピニオン113，112，111がそれぞれ回動し、第２ピニオン111と一体的に、第１ピニオン96が回動する。
【００７３】
そして、この第１ピニオン96にラック91が歯合したスライダ83aが、図１に示すように左方向へと摺動するとともに、第１ピニオン96にラック91が歯合したスライダ83bが、図１に示すように右方向へと摺動する。
【００７４】
このとき、スライダ83a，83bの各塵落とし部材86は、図６(b)に示すように、第２係合部101bがプリーツ山部61aを順次乗り越える際に、取付ボス102を中心として、それぞれ脚部104が支持壁部107に当接するまで水平回動し、脚部104と支持壁部106との間のコイルスプリング108が付勢に抗して縮み、第２係合部101bがプリーツ山部61aを完全に乗り越えると、コイルスプリング108の付勢により脚部103が支持壁部106に当接するまで各塵落とし部材86が復帰回動することで、プリーツフィルタ体61に弱い振動を与え、プリーツフィルタ体61に捕集した塵埃を細塵集塵室59へと落下させる。
【００７５】
なお、ガイド突起122，122がガイドスリット121，121の上端部に当接する位置(コイルスプリング128が自然長となった状態)となると、ラック体115の下方への移動は停止し、ハンドル９の支持軸132とリンク119の長孔131の上端部との係合が外れ、支持軸132が相対的に下方に摺動する。
【００７６】
そして、塵埃を廃棄する際には、作業者が、蓋体４を上方へ回動させて開き、集塵容器５を本体ケース３から取り外した後、例えばごみ箱などの上でボタン66を押すことで底蓋28を開いて、集塵室26と細塵集塵室59とに溜まった塵埃を集塵容器５の外部へと廃棄可能となる。
【００７７】
上述したように、上記第１の実施の形態によれば、ハンドル９の操作により、吸気口75の上側に位置するスライダ83aを移動させると、吸気口75の下側に位置するスライダ83bが、スライダ83aの移動方向と反対方向へと移動することで、各スライダ83a，83bにより、単独のスライダで除塵する従来の場合の２倍の除塵効果を得ることができ、プリーツフィルタ体61のメンテナンス性を向上できる。
【００７８】
すなわち、除塵手段76は、プリーツフィルタ体61に捕集した塵埃を確実に除去するために複数回動作させることが好ましいので、複数のスライダ83a，83bを同時に動作させることで、単独のスライダで除塵する従来の場合と比較して、除塵手段76を動作させる回数を半分に減らすことができ、プリーツフィルタ体61のメンテナンス性を向上できる。
【００７９】
また、スライダ83a，83bを、プリーツフィルタ体61のプリーツ形状と交差する方向に互いに反対方向に移動させることにより、スライダ83a，83bの各塵落とし部材86がプリーツ山部61aを弾く際に、プリーツフィルタ体61の上側と下側とで反対方向に力が加わるので、プリーツフィルタ体61に捩れが付与され、スライダ83a，83bによる除塵効果が、より向上する。
【００８０】
さらに、少なくとも電動送風機２を駆動した状態、本実施の形態では除塵手段76の非使用状態で、スライダ83が吸気口75と重ならない位置に移動するため、スライダ83が電動送風機２の吸込負荷になることがなく、掃除効率の低下を招くことがない。
【００８１】
次に、第２の実施の形態を図１２ないし図１５を参照して説明する。なお、上記第１の実施の形態と同様の構成および作用については、同一符号を付してその説明を省略する。
【００８２】
この第２の実施の形態は、上記第１の実施の形態のスライダ83aを省略し、スライダ83bを除塵手段として、吸気口75の上下方向の略中央域に対向する位置に配設したものである。
【００８３】
すなわち、ガイドレール82aが、吸気口75の上下方向の中心と左右に交差するように配設されている。
【００８４】
また、動力伝達手段77は、第１ピニオン96がガイドレール82aの上方に位置するように配設されている。
【００８５】
そして、上記第１の実施の形態と同様に、ハンドル９をハンドル収納凹部73に収納した状態では、スライダ83bが図１２に示す状態、すなわち吸気口75の右側方であって、この吸気口75と重ならない位置にあり、ハンドル９を図１２および図１３に示す状態から図１４および図１５に示す状態へと起こすと、ハンドル９のアーム部71の支持軸132とリンク119の長孔131との係合により、ラック体115が上方へと移動し、このラック体115のラック歯115aと第５ピニオン114との歯合により、この第５ピニオン114が図１５に示す反時計回り方向に回動し、この第５ピニオン114と一体的に、第４ピニオン113が図１５に示す反時計回り方向に回動し、第３ピニオン112、第２ピニオン111、第１ピニオン96が順次回転して、この第１ピニオン96にラック91が歯合したスライダ83bが、図１４に示すように左方向へと摺動する。
【００８６】
このとき、スライダ83bの各塵落とし部材86は、第１係合部101aがプリーツ山部61aを順次乗り越えて弾くことで、プリーツフィルタ体61に強い振動を与え、このプリーツフィルタ体61に捕集した塵埃を細塵集塵室59へと落下させる。
【００８７】
また、作業者がハンドル９から手を離すと、コイルスプリング128の復帰により、ハンドル９がハンドル収納凹部73に収納され、ハンドル９の支持軸132とリンク119の長孔131との係合により、ラック体115が下方へと略直線状に移動し、このラック体115のラック歯115aと第５ピニオン114との歯合により、この第５ピニオン114が図１３に示す時計回り方向に回動し、この第５ピニオン114と一体的に、第４ピニオン113が図１３に示す時計回り方向に回動し、第３ピニオン112、第２ピニオン111および第１ピニオン96が順次回転して、この第１ピニオン96にラック91が歯合したスライダ83bが、図１２に示すように右方向へと摺動する。
【００８８】
このとき、スライダ83bの各塵落とし部材86は、第２係合部101bがプリーツ山部61aを順次乗り越える際に、取付ボス102を中心としてそれぞれ水平回動し、脚部104と支持壁部106との間のコイルスプリング108が付勢に抗して縮み、第２係合部101bがプリーツ山部61aを完全に乗り越えると、コイルスプリング108の付勢により各塵落とし部材86が復帰回動することで、プリーツフィルタ体61に弱い振動を与え、プリーツフィルタ体61に捕集した塵埃を細塵集塵室59へと落下させる。
【００８９】
この結果、上記第２の実施の形態によれば、電動送風機２の駆動により最も塵埃が付着しやすい吸気口75の略中央域に対向する位置に除塵手段76のスライダ83bを設けることで、プリーツフィルタ体61の除塵の効率を向上し、プリーツフィルタ体61のメンテナンス性を向上できるとともに、スライダ83bを、少なくとも電動送風機２の駆動状態、本実施の形態ではスライダ83bの非使用状態で、吸気口75に対向しない(重ならない)位置で、かつ、前壁部10の外郭よりも内方、本実施の形態では、図１２に示す吸気口75の右側方に位置するように移動させることで、電動送風機２の駆動による吸い込みの際にスライダ83bが吸込負荷になることがない。
【００９０】
また、スライダ83b単独で充分な除塵効果を得ることができるため、スライダを複数設ける場合と比較して、除塵手段76を簡単な構成とすることができる。
【００９１】
なお、上記各実施の形態において、動力伝達手段77は、ハンドル９の動作をスライダ83a、あるいはスライダ83bの動作に変換できれば、上記構成に限定されるものではない。
【００９２】
また、スライダ83a、あるいはスライダ83bを動作させる際には、ハンドル９以外のものの動作に連動させてもよい。
【００９３】
さらに、スライダ83の細部は、上記構成に限定されるものではない。
【００９４】
そして、電気掃除機の細部は、上記構成に限定されるものではなく、電気掃除機としては、キャニスタ型に限らず、例えば自走式(走行補助式)や自律走行式(ロボット式)の電気掃除機などでもよく、また、例えば吸込口体22が掃除機本体１の下面に直接形成されたアップライト型、あるいはハンディ型などであっても対応させて用いることができる。
【図面の簡単な説明】
【００９５】
【図１】本発明の第１の実施の形態の電気掃除機の除塵手段の非使用状態を示す正面図である。
【図２】同上除塵手段の非使用状態を示す背面図である。
【図３】同上除塵手段の使用状態を示す正面図である。
【図４】同上除塵手段の使用状態を示す背面図である。
【図５】同上除塵手段の各除塵部材を示す透視図である。
【図６】(a)は同上各除塵部材がフィルタに対して往動している状態を示す平面図、(b)は同上各除塵部材がフィルタに対して復動している状態を示す平面図である。
【図７】同上電気掃除機を示す中央断面図である。
【図８】同上電気掃除機の掃除機本体を示す斜視図である。
【図９】同上電気掃除機の集塵部の一部を示す平面図である。
【図１０】同上集塵部を背面側から示す斜視図である。
【図１１】同上電気掃除機を示す斜視図である。
【図１２】本発明の第２の実施の形態の電気掃除機の除塵手段の非使用状態を示す正面図である。
【図１３】同上除塵手段の非使用状態を示す背面図である。
【図１４】同上除塵手段の使用状態を示す正面図である。
【図１５】同上除塵手段の使用状態を示す背面図である。
【符号の説明】
【００９６】
１    掃除機本体
２    電動送風機
５    集塵部としての集塵容器
10    隔壁部としての前壁部
61    フィルタとしてのプリーツフィルタ体
75    吸気口
76    除塵手段
83a   第１除塵部材としてのスライダ
83b   第２除塵部材としてのスライダ
【図１】
2008113786.tif 000003
【図２】
2008113786.tif 000004
【図３】
2008113786.tif 000005
【図４】
2008113786.tif 000006
【図５】
2008113786.tif 000007
【図６】
2008113786.tif 000008
【図７】
2008113786.tif 000009
【図８】
2008113786.tif 000010
【図９】
2008113786.tif 000011
【図１０】
2008113786.tif 000012
【図１１】
2008113786.tif 000013
【図１２】
2008113786.tif 000014
【図１３】
2008113786.tif 000015
【図１４】
2008113786.tif 000016
【図１５】
2008113786.tif 000017